(57)【要約】      （修正有）【課題】操作が簡単で必要な時、手荷物持ち忘れの警告をするシステムで、しかも煩雑な電気配線を無くし、バッテリーを使用する場合も消費電力が少なくバッテリー交換頻度を少なくするシステムを提供する。【解決手段】遊技場用椅子１の着座部２が蓋となる収納部と椅子の着座部に着座センサー５と、手荷物収納センサー６と、あらかじめ設定された所定条件が揃った場合、警告を発生させる警告装置７とその警告手段を動作させる制御器８を備えた遊技場用椅子としている。また、遊技場用椅子１、又は島側９に、着席センサー５を具備し、着席センサー５が遊技場用椅子１側にあるとき、信号を発信する発信装置を遊技場用椅子１側に設け、その信号を受信する受信装置と、あらかじめ設定された所定条件が揃った場合、警告をする警告手段、及び警告を動作させる制御手段を、使用している遊技機、または遊技機近傍の島側に具備した手荷物忘れ防止装置である。【選択図】図１
2007301328.tif 000002
【特許請求の範囲】
【請求項１】
手荷物収納部を備えた遊技機用椅子の着座部に着座センサーと、手荷物収納部に手荷物収納センサーを備え、あらかじめ設定された条件が揃った場合、極めて少ない消費電力で、警告を発生させる警告手段とその警告手段を動作させる制御手段を備えた遊技場用椅子。
【請求項２】
手荷物収納部を遊技機の設置されている島側に備え、人が椅子に座った事を感知する着座感知センサーを、概、島側に具備するか、または椅子側に具備し、、あらかじめ設定された条件が揃った場合、警告を発生させる警告手段と警告を動作させる制御手段を島側に備えた手荷物忘れ防止装置。
【発明の詳細な説明】
【技術分野】
【０００１】本発明は遊技機前に設置されている手荷物収納庫を備えた椅子と手荷物収納庫を島側に配置した両方の場合の、客が荷物を手荷物収納庫に入れた事を忘れて遊技場を出てしまうのを防止する手荷物忘れ防止装置とその技術に関する。
【背景技術】
【０００２】従来、遊技場、例えばパチンコホール等に於いては、客が手荷物をロッカーに入れたり、ロッカーのない遊技場では膝の上に置いたりして目の届く身の回りに置いた状態で遊技に興じていた。
その後、手荷物を入れる施錠機能を有す収納部を具備し、あらかじめ設定された条件以外で解錠されると警告を発する盗難防止の方式や、遊技機の非稼動状態の感知センサーで遊技終了と判断し、手荷物忘れ防止の機能を有す方式も一部には考えられていた。例えば、特願平７−２９２７２では着座部が閉鎖位置に位置された状態で施錠されることによりそのロック状態を解除する施錠手段と手荷物検出手段を設け警告手段により所定条件により警告手段を動作させたり、パチンコ遊技機の例では玉皿にパチンコ球が貯留されている事を検出する玉皿センサーを設け、施錠状態に基づき保安に不具合が生じた状態になった時に警告音を出すようなものが考案されていた。
【発明が解決しようとする課題】
【０００３】しかしながら、前述の様に遊技場用椅子に施錠装置を含め、手荷物収納感知センサー、着座センサー、警報装置と警報装置を作動させる制御器等多くを設置する事は、消費電力が多い為、遊技場用椅子への電気配線をする必要あり、電気配線をする場合、電気を島側から椅子側へ渡すため電線を床に配線する事は、遊技客が移動する時に邪魔になり、また床に電線を埋め込むのは工事費がかかり敬遠されてきた。又、遊技場用椅子にバッテリーを具備しても、消費電力が多いため比較的短い期間ごとにバッテリー交換の必要があり不便であった。
以上の事実を鑑み手荷物忘れ防止の簡易で設備コストのかからない方式で、消費電力の極めて少ないメインテナンスが容易な方式の開発が大きな課題であった。
【発明の開示】
【課題を解決する為の手段】
【０００４】本発明はこの様な市場の要求を鑑みて考案されたもので、請求項１に記載の遊技場用椅子の着座部が蓋となる収納部と椅子の着座部それぞれにセンサーを具備し、あらかじめ設定された所定条件が揃った場合、警告を発生させる警告手段とその警告手段を動作させる制御手段を備えた遊技場用椅子である。
着座前に着座部となる蓋を開け手荷物を収納した後、着席する。以降、着席して遊戯した後、席を立つ度に手荷物があることを客に知らせ手荷物忘れを防止する事が出来る。
【０００５】また、請求項２は手荷物忘れ防止用に遊技場用椅子に具備する部品数、及びその消費電力量をさらに抑え、警告手段を更に確実な物にする方法である。
即ち、遊技機の椅子に座った事を感知する着座センサーを遊技場用椅子、又は遊技機のある島側に具備し、あらかじめ設定された所定条件が揃った場合、警告を発生させる警告手段と制御手段を具備した手荷物収納庫を遊技機、又は遊技機近傍の島側に備えた手荷物忘れ防止装置である。
遊技場用椅子側に着座センサーを設置した場合は着座、退座の情報を島側に伝達する発信機を遊技場用椅子に備え、島側に具備されている受信機で情報を受ける方法も含む。
こうする事により消費電力が比較的大きい手荷物収納庫のロック機構等を付加することが容易となる。
【発明の効果】
【０００６】請求項１の発明については簡易で手荷物忘れ防止の機能を有し、遊技場用椅子に取り付けられた部品、及び電気回路は人が椅子に座っている間は電気を全く消費せず、椅子から立ち上がった時、初めて電気が入り、予め、設定された時間のみ警報を発するので極めて消費電力が少なく、従ってバッテリー交換の頻度は従来の方法に比べ、すこぶる少なく、簡易で合理的遊技場用椅子となる。
また請求項２の発明については、島側には通常電源が来ている為、消費電力の大きなフラッシング照明や、ブザーも容易に取り付ける事も出来るし、ゲーム最中に使用される呼び出しランプや幕板に表示される各種ランプと共用する事も出来る。
手荷物収納設定器が島側にあるため、フラッシングのみならずブザー等も使い、また、ロック、盗難防止等も兼ねた設定をしたり、各種機能の拡大が図れる。
【発明を実施するための最良の形態】
【実施例】
【０００７】以下、本発明の請求項１，２，の実施例として図１，２，３を用いて逐次説明する。
図１は請求項１の発明の実施例を示したもので、パチンコ遊技場内の遊技場用椅子１と島側９に据えつけられた遊技機１０の配置された状態を示す側面図である。本発明の遊技場用椅子１は遊技客が着座する着座部２が着座しない状態では開閉できる様に取り付けられ、手荷物収納庫３の蓋の役目をしている。着座部２には遊技客の体重の重さを感知する例えばマイクロスイッチの様な着座センサー５が、また収納部の底には手荷物が収納された事を感知する手荷物感知センサー６が組み込まれている。
背もたれ４には必要な時には光や音で知らせる警報装置７が備えられている。
遊技場用椅子１の一部には制御器８が組み込まれている。
図２は前記の着座センサー５、手荷物センサー６、警報装置７になりうる警報ランプ１５、警報音発生装置１６、電池１４と制御器８の結線例を示す。
この配線にすることにより請求項３に有るように、手荷物を収納部に入っていない時と遊技客が着席中は本発明の装置の消費電力は全くない装置となる。
以上が請求項１の発明の構成例であるが次に使い方、機能について説明する。
遊技機１０を選択した遊技客は着座部２を開けて荷物を手荷物収納庫３に入れる。すると手荷物収納センサー６はオンとなり、まだ着席してない時は着席センサー５は退席した時と同じとなり、警報装置７が作動する結線であるが、例えば着席センサー６が一度はオン（Ｂ接点の為、接点が開となる）しないと警報装置が作動しないソフトウエアを組んでおく。そうすれば手荷物を入れ、着席してない時の不必要な警報装置７の作動はない。
着席すると着座センサー５の接点は開となり、警報装置７は作動しない。
遊技客がゲームを終え、実際、退席すると着座センサーの接点は閉となり、警報装置７が作動し、遊技客が警報装置７の作動に気がつき、手荷物を忘れず取り出し立ち去る。実際、退席して遊技客が警報装置に気がつかず、手荷物を忘れたまま立ち去った場合、あらかじめ設定された時間だけ警報装置が作動するため他の客への迷惑が最小限になるよう配慮してある。【０００８】次に本発明の請求項２について図３を参照し説明する。
請求項１の図１と異なるのは遊技場用椅子１側には発信機１１が取り付けられる代わりに、警報装置７と制御器８がなくなり、島側９に警報装置７と、それに繋がれた受信機１２と制御器８を配置している事である。
請求項２の実施例で前記したように着席センサー５と手荷物収納センサー６の情報を発信機１１から島側９に向けて発信される。島側９にある受信機１２は情報をキャッチし、条件が整えば、警報装置７をオさせる。【０００９】この請求項２の発明は上記請求項１の発明の手荷物収納庫３を島側に配置している為、手荷物収納庫３のロック、解錠機構１３を付加し易くしたり、従来より幕板にある呼び出しランプ等の各種部品を警報用にも共用も出来、島側は全て容易に有線で繋げる。また一方、遊技場用椅子１には請求項１の発明に較べて手荷物収納庫がないから、従来の椅子が大幅な改造をしなくても使用できる方法である。
【産業上利用の可能性】
【００１０】遊技場に於いて客が荷物を紛失する事による店とのトラブルを防止できる。
【図面の簡単な説明】
【００１１】
【図１】本発明の請求項１の実施例の遊技場用椅子と各種部品の配置を示す側面図である。
【図２】本発明の請求項１の制御結線例を示すシステム図である。
【図３】本発明の請求項２の実施例の遊技場用椅子、及び手荷物忘れ防止装置の各種部品の配置を示す側面図である。
【符号の説明】
１．遊技機用椅子
２．着座部
３．手荷物収納庫
４．背もたれ
５．着座センサー
６．手荷物収納センサー
７．警報装置
８．制御器
９．島側
１０．遊技機
１１．発信機
１２．受信機
１３．ロック解錠機構
１４．電池
１５．警報ランプ
１６．警報音発生装置
【図１】
2007301328.tif 000003
【図２】
2007301328.tif 000004
【図３】
2007301328.tif 000005